(57)【特許請求の範囲】
【請求項１】
携帯ゲームの表示手段と操作手段とを有する折畳式携帯電話装置において、折り畳み可能な本体筐体と、無線通信手段と、制御手段と、表示手段と、操作手段と、送話器と、受話器とを有し、前記本体筐体内に前記無線通信手段と前記制御手段とを内蔵させ、前記本体筐体の外面に前記表示手段と前記操作手段とを設け、前記本体筐体の内面に前記送話器と前記受話器とを設けて構成し、前記携帯ゲームの表示手段を前記本体筐体の外面に設けた折畳式携帯電話装置の前記表示手段と共用し、前記携帯ゲームの操作手段を前記本体筐体の外面に設けた折畳式携帯電話装置の前記操作手段と共用して、折畳式携帯電話装置の前記制御手段で、前記携帯ゲームの動作制御と折畳式携帯電話装置の動作制御をすることを特徴とする折畳式携帯電話装置。
【請求項２】
携帯ゲームを動作させているときに着信信号を検出すると、携帯ゲームを自動的に一時停止するようにしたことを特徴とする請求項１に記載の折畳式携帯電話装置。
【請求項３】
前記本体筐体の開閉を検出する開閉状態検出手段を有し、携帯ゲームを動作させているときに前記本体筐体が開いたことを検出すると、携帯ゲームを自動的に一時停止するようにしたことを特徴とする請求項１に記載の折畳式携帯電話装置。
【請求項４】
携帯ゲームの動作中に着信があり着信鳴動状態が継続しているときに、携帯ゲームを継続するための前記操作手段が操作されたときには、無線通信手段により、発呼者に対して自動的に予め定めたメッセージを送出して通話を終了するとともに、携帯ゲームの動作を継続するようにしたことを特徴とする請求項１に記載の折畳式携帯電話装置。
【請求項５】
前記本体筐体の外面に設けた携帯電話装置の操作手段の内、通話終了ボタンを携帯ゲームのスタートボタンと共用し、受信待受け状態において前記通話終了ボタンが一定時間より短時間押されたときには、携帯ゲームのスタートボタンが押されたとして以後の制御を行なうようにしたことを特徴とする請求項１に記載の折畳式携帯電話装置。
【発明の詳細な説明】
【０００１】
【発明の属する技術分野】
本発明は、携帯ゲームの制御手段と表示手段と操作手段とを有し、無線通信機能の他に携帯ゲーム機能を有する折畳式携帯電話装置に関する。
【０００２】
【従来の技術】
最近、携帯電話装置においても受信待受け時の余暇を楽しむために、簡単な携帯ゲーム機能を搭載したものが提供されるようになってきている。しかし、従来の携帯ゲーム機能を搭載した携帯電話装置は、携帯電話装置のオプション機能の一つとして付加的に機能を搭載したもので、図１３に示すような携帯電話装置のテンキー10やいわゆるスクロールキー11などの操作手段と携帯電話装置の液晶表示装置８などの表示手段をそのまま流用した構成であり、携帯ゲーム専用機と比べるとかならずしも使い勝手の良いものではなかった。
【０００３】
【発明が解決しようとする課題】
本発明は、ゲーム専用の携帯ゲーム機と同等の操作性とコンパクトな形状（フォルム）を有し、携帯電話装置としても標準的な機能を有する折畳式携帯電話装置を提供することを目的とする。
【０００４】
【課題を解決するための手段】
本発明の請求項１に記載の発明は、携帯ゲームの表示手段と操作手段とを有する折畳式携帯電話装置において、折り畳み可能な本体筐体と、無線通信手段と、制御手段と、表示手段と、操作手段と、送話器と、受話器とを有し、前記本体筐体内に前記無線通信手段と前記制御手段とを内蔵させ、前記本体筐体の外面に前記表示手段と前記操作手段とを設け、前記本体筐体の内面に前記送話器と前記受話器とを設けて構成し、前記携帯ゲームの表示手段を前記本体筐体の外面に設けた折畳式携帯電話装置の前記表示手段と共用し、前記携帯ゲームの操作手段を前記本体筐体の外面に設けた折畳式携帯電話装置の前記操作手段と共用して、折畳式携帯電話装置の前記制御手段で、前記携帯ゲームの動作制御と折畳式携帯電話装置の動作制御をすることを特徴とする折畳式携帯電話装置としたものである。この構成により、本体筐体を閉じた状態で本体筐体の外面に設けた表示手段と操作手段で携帯ゲームの操作と表示をすることができ、本体筐体を開いた状態で本体筐体の内面に設けた送話器と受話器により電話をすることができる。
【０００６】
また、請求項２に記載の発明は、携帯ゲームを動作させているときに着信信号を検出すると、携帯ゲームを自動的に一時停止するようにしたことを特徴とする請求項１に記載の折畳式携帯電話装置としたものである。この構成により、着信表示ランプの点滅や着信鳴動あるいはバイブレータの振動にわずらわされて誤操作することなく携帯ゲームを一時停止することができる。
【０００７】
また、請求項３に記載の発明は、前記本体筐体の開閉を検出する開閉状態検出手段を有し、携帯ゲームを動作させているときに前記本体筐体が開いたことを検出すると、携帯ゲームを自動的に一時停止するようにしたことを特徴とする請求項１に記載の折畳式携帯電話装置としたものである。この構成により、着信に気付いたユーザーが通話するために本体筐体を開くという自然な動作をするだけで、携帯ゲームを一時停止することができる。
【０００８】
また、請求項４に記載の発明は、携帯ゲームの動作中に着信があり着信鳴動状態が継続しているときに、携帯ゲームを継続するための前記操作手段が操作されたときには、無線通信手段により、発呼者に対して自動的に予め定めたメッセージを送出して通話を終了するとともに、携帯ゲームの動作を継続するようにしたことを特徴とする請求項１に記載の折畳式携帯電話装置としたものである。この構成により、発呼者に対して予め定めたメッセージを送出して携帯ゲームの動作を継続することができる。
【０００９】
また、請求項５に記載の発明は、前記本体筐体の外面に設けた携帯電話装置の操作手段の内、通話終了ボタンを携帯ゲームのスタートボタンと共用し、受信待受け状態において前記通話終了ボタンが一定時間より短時間押されたときには、携帯ゲームのスタートボタンが押されたとして以後の制御を行なうようにしたことを特徴とする請求項１に記載の折畳式携帯電話装置としたものである。この構成により、携帯電話装置の本来的な機能に影響を与えることなく、携帯ゲームをスタートさせることができる。
【００１０】
【発明の実施の形態】
以下、本発明の実施の形態について、図１から図１２を用いて説明する。
図１（ａ）は、本発明の第１の実施の形態の折畳式携帯電話装置の本体筐体を閉じた状態を示す側面図、図１（ｂ）は本体筐体を閉じた状態を示す正面図、図２（ａ）は本体筐体を開いた状態を示す側面図、図２（ｂ）は本体筐体を開いた状態を示す正面図である。
【００１１】
図１と図２を用いて、全体の構成を簡単に説明する。図１（ａ）の折畳式携帯電話装置は、第１の本体筐体１と第２の本体筐体２をヒンジ部３で連結した形にして、第１の本体筐体１と第２の本体筐体２をヒンジ部３により折り畳み自在にしている。図１（ｂ）に示すように、第１の本体筐体１の外面には液晶表示装置などからなる第１の表示手段４を設けている。第１の表示手段４の近傍には通話開始ボタン５ａ、通話終了ボタン５ｂ、クリアボタン６、上下左右の４方向のスクロール及び中央を押して選択・決定を行なういわゆるナビゲーションキー７が設けられている。なお、本発明の折畳式携帯電話装置を携帯ゲーム機として使用するときには、前記通話開始ボタン５ａは携帯ゲームのいわゆるＢボタンとして、前記通話終了ボタン５ｂはいわゆるスタート(Ｓ)ボタンとして、前記クリアボタン６はいわゆるＡボタンとして使用する。
【００１２】
また、第１の本体筐体１の内面には第２の表示手段８が設けられており、第２の本体筐体２の側面には斜め上へ出し入れ自在にアンテナ９が設けられている。第１の本体筐体１には磁石18が内蔵され、第２の本体筐体２にはリードスイッチ19が内蔵されている。そして本体筐体が閉じて磁石18とリードスイツチ19が接近しているときはリードスイツチ19がＯＮになり、本体筐体が開いて磁石18とリードスイツチ19が離れたときはリードスイツチ19がＯＦＦになるようにして、本体筐体の開閉状態を検出するようにしている。アンテナのある側面の下方にはイヤホンマイク用ジャック37が設けられている。
【００１３】
図２（ａ）に第１の本体筐体１を上方へ開いた状態を示す。第１の本体筐体１を上方へ開くと後述する制御手段により、第１の本体筐体１の内面にある第２の表示手段８に文字や画像情報を表示するようにしている。なお、このときには、第１の表示手段４については、本体筐体１を上方へ開く前の状態を維持するようにしている。
【００１４】
図２（ｂ）に示す第２の本体筐体２の内面には、テンキー10や、４方向にスクロールし中央を押して選択・決定するいわゆるナビケーションキー11や、通話開始キー12ａ、通話終了キー12ｂ、メニューキー13、ｉモード（登録商標、以下同じ）などの非音声無線通信サービス受信開始キー14などのキー操作部が設けられている。また第２の本体筐体２の下方には送話器（マイク）15が有り、第１の本体筐体１の上方には受話器（スピーカ）16が設けられている。
【００１５】
図３（ａ）、図３（ｂ）、図４（ａ）、図４（ｂ）はそれぞれ、本発明の第１の実施の形態の折畳式携帯電話装置のアンテナを伸ばした状態を示した側面図および正面図である。本発明は、アンテナ９を第２の本体筐体２の側面の下方から上方にアンテナを出し入れ自在に支持しているため、第１の本体筐体１の開閉動作はアンテナ９の向きまたは伸縮状態とは関係無く行なうことができる。なお、横溝17は手で掴んだときの滑り止めの役目を持っている。
【００１６】
図５（ａ）、図５（ｂ）、図５（ｃ）は、本発明の第１の実施の形態の携帯電話装置を手で持った状態の外観図である。本発明の第１の実施の形態では、図５（ａ）のように第２の本体筐体２を手のひらで包むように持って、図３のようにアンテナ９を引出しても良いし、図５（ｂ）のように第２の本体筐体２を手のひらで包むように持って、図４のようにアンテナ９を引出すと同時に第１の本体筐体１を上方へ開いても良い。いずれにせよ、第１の本体筐体１の開閉状態に関係無くアンテナ９を図５（ａ）、図５（ｂ）のように第２の本体筐体２を手のひらで包むように持って、第２の本体筐体２の側面の下方から上方にアンテナ９を出し入れ自在にしている。
【００１７】
図５（ｃ）は、携帯ゲームを行なうために本発明の折畳式携帯電話装置を横にして両手で持って操作している状態を示している。図５（ｃ）のように携帯ゲーム専用機と同様な使い勝手が得られる。なお、携帯ゲーム動作時の表示画面の上下方向は、後述する携帯ゲームの制御手段28により制御するようにしている。
【００１８】
図６は、本発明の実施の形態の携帯電話装置の簡単な構成をブロック図で示したものである。図６において、アンテナ20で受信した電波は無線通信部21の受信部（図示せず）で受けて、受信情報を制御部22に伝える。制御部22は受信した電話番号などの受信情報を本体筐体の外面に設けた第１の表示手段４又は本体筐体の内面に設けた第２の表示手段８に表示する。
【００１９】
また、制御部22は受信情報を音声情報に変換して受話部（スピーカ）23で音声出力する。また送話部（マイク）24は利用者の音声を受けて制御部22に伝え、無線通信部21の送信部（図示せず）とアンテナ20により通話相手先に無線送信する。テンキーやスクロールキーからなるキー操作部26はキー操作によって制御部22に信号を入力したり、制御部22を介して電話番号情報等をメモリ25に記憶させるようにしている。
【００２０】
本体筐体の開閉状態検出部27は本体筐体が閉じているか開いているかの状態を検出して制御部22に伝えている。28は携帯ゲームの制御手段であり、ゲームのプログラムとＣＰＵを備え、前記キー操作部26の内の第１の本体筐体の外面にある操作手段からの入力操作により、同じく第１の本体筐体の外面にある第１の表示手段４に携帯ゲームの動作状況を表示するようにしている。
【００２１】
なお、携帯ゲームの制御手段28は前記制御手段22から一時停止命令を受けて動作を一時停止するようにしている。37はイヤホンマイク用ジャックであり、先端にイヤホン33とマイク34を有するイヤホンマイク36を制御手段22と接続し、本体筐体を閉じた状態でも携帯ゲームの音声が聞こえ、ボイスコマンドの入力もできるようにしている。
【００２２】
図７は、本発明の第１の実施の形態の折畳み式携帯電話装置が、携帯電話装置として本体筐体の開閉状態に関わらず受信待受け状態から通話開始する動作を示したフローチャートである。折畳式携帯電話装置に電源がＯＮされ、受信待受け状態になっているときに（ステップ１）、着信が有ると（ステップ２）、着信鳴動したり、着信ランプや表示手段のバックライトが点滅する（ステップ３）。
【００２３】
制御部22は、カバー開閉状態検出部27から開閉状態検出情報を得て筐体が閉じているかを判断する（ステップ４）。筐体が閉じていると制御部22は発呼者の電話番号か発呼者の名称という発呼者情報を本体筐体の外面にある第１の表示手段４に表示する（ステップ５）。ユーザーによって通話開始ボタン５ａが押されたら（ステップ６）、イヤホンマイク用ジャック37に接続されているイヤホンマイク36を用いて通話を開始する（ステップ７）。
【００２４】
なお、本体筐体が開いているときは発呼者情報は本体筐体の内面にある第２の表示手段８に表示される（ステップ８）。通話開始ボタン12ａが押されると（ステップ９）、第１の本体筐体１の内面にある受話器23と送話器24を用いて通話を開始する。このように本発明では本体筐体の開閉状態の如何にかかわらず、着信があったときに通話動作を行なうことができる。
【００２５】
また、本体筐体が閉じた状態では、テンキーによる直接的な電話番号入力はできないが、図８のフローチャートに示すように、メモリ25に電話番号を電話帳として登録しておき、スクロールキーであるナビゲーションキー７で電話番号をスクロール表示して、通話開始ボタン５ａを押して発呼動作を開始するようにしている。
【００２６】
図９は、上記のように通常の携帯電話装置として使える本発明の折畳式携帯電話装置を携帯ゲーム機として使用する場合のフローチャートを示す。折畳式携帯電話装置の電源がＯＮされると、受信待受け状態になる（ステップ21）。受信待受け状態で第１の本体筐体の外面の通話終了ボタン（スタート(Ｓ)ボタン）５ｂが押されると（ステップ22）、携帯ゲームの制御手段28が起動され、携帯ゲームがスタートする（ステップ23）。ユーザーはイヤホンマイク36を本体筐体の側面に設けたイヤホンマイク36で携帯ゲームの音声を聞きながら、クリアボタン（Ａボタン）６、通話開始ボタン（Ｂボタン）５ａそしてナビゲーションボタン７を用いてゲーム操作をする。このまま着信が無ければ携帯ゲームが継続進行する。
【００２７】
着信があると（ステップ24）、制御部22は携帯ゲームの制御部28に一時停止命令を出して携帯ゲームを一時停止させ、それまで、携帯ゲームの動作状況を表示していた第１の表示手段４に着信した発呼者の電話番号か発呼者の名称という発呼者情報を表示する（ステップ25）。 ユーザーは発呼者情報を見て、通話開始ボタン５ａを押すと（ステップ26）、イヤホンマイク36を用いた音声通話が始まる（ステップ27）。
【００２８】
通話終了ボタン５ｂが押されると（ステップ28）、通話は終了する（ステップ29）。但し、携帯ゲームは一時停止したままなので、通話終了ボタン（スタート(Ｓ)ボタン）５ｂを短時間、瞬間的に押すと（ステツプ30）、携帯ゲームは再スタートする（ステップ34）。ゲームオーバーとなれば（ステップ35）、携帯ゲームは終了して再び、受信待ち受け状態に戻る（ステップ36）。
【００２９】
なお、着信して発呼者情報が表示されたとしても（ステップ25）、通話開始ボタン５ａが押されず（ステップ26）、携帯ゲームを開始する通話終了ボタン（スタート(Ｓ)ボタン）５ｂが押されたときは（ステップ32）、予めメモリ25に登録してあるメッセージ、例えば「只今電話に出ることができません。留守番サービスをご利用下さい。」というメッセージを送出して（ステップ33）、通話を終了し、ゲームを再スタートするようにしている（ステップ34）。ゲームオーバーとなれば（ステップ35）、携帯ゲームは終了して再び、受信待ち受け状態に戻る（ステップ36）。
【００３０】
図１０は、本発明の第２の実施の形態の折畳式携帯電話装置を携帯ゲーム機として使用する場合の動作をフローチャートで示したものである。第９図のフローチャートとの違いは、着信があったときに（ステップ44）、着信ランプや第１の表示手段４のバックライトを点滅したり、着信音を鳴動させるという着信表示をするだけで、図９のステツプ25のように携帯ゲームを強制的に一時停止されることなく、ユーザーに何らかの操作を求める（ステップ45）。
【００３１】
ユーザーが携帯ゲームの進行状態のタイミングを見計らって本体筐体を開けると、開閉状態検出手段27が本体筐体が開いたことを検出するので（ステップ46）、制御部22は携帯ゲームの制御部28に一時停止命令を出してゲームの進行を一時停止させ、発呼者情報を第２の表示手段８に表示する（ステップ47）。通話開始ボタン12ａが押されると（ステップ48）、送話器15と受話器16を用いて音声通話を開始する（ステップ49）。
【００３２】
通話終了ボタン12ｂが押されると（ステップ50）、通話は終了する（ステップ51）。なお、開閉状態検出手段27が本体筐体が開いたことを検出すると、通話開始ボタン12ａが押されたとみなしてステップ48を省略し、開閉状態検出手段27が本体筐体が閉じたことを検出すると、ステップ50の通話終了ボタン12ｂが押されたとみなした動作としても良い。
【００３３】
なお、ステップ51で通話が終了し、本体筐体を閉じたとしても、携帯ゲームは一時停止したままなので、本体筐体１の外面の通話終了ボタン（スタート(Ｓ)ボタン）５ｂを短時間、瞬間的に押すと（ステツプ52）、携帯ゲームは再スタートする（ステップ56）。ゲームオーバーとなれば（ステップ57）、携帯ゲームは終了して再び、受信待ち受け状態に戻る（ステップ58）。その他の手順については図９のフローチャートと同じなので説明を省略する。
【００３４】
図１１に本発明の第３の実施の形態を示す。第３の実施の形態は第１の表示手段４と第２の表示手段８を設けている第１の本体筐体１の側面にアンテナ９を設けた点が第１の実施の形態と異なっている。図１１（ａ）は本体筐体を閉じた状態を示す側面図、図１１（ｂ）は本体筐体を閉じた状態の正面図、図１１（ｃ）は本体筐体を開いた状態の正面図である。本発明の第１の実施の形態と同じ部分には同じ番号を付して示している。
【００３５】
本発明の第３の実施の形態では、第１の本体筐体１の側面にアンテナ９を出し入れ自在にしているので、図１３に示した従来例とアンテナの出し入れの操作性はほぼ同じであるにもかかわらず、大型の第１の表示手段４を採用でき、第１の表示手段４を携帯ゲームの表示手段として使えるという利点がある。
【００３６】
なお、以上の本発明の実施の形態では、本体筐体の内面に標準的な携帯電話装置の表示手段と操作手段を設けたものを例示したが、図１２（a）に本発明の第４の実施の形態を示したように、本体筐体の内面には送話器15と受話器16だけを設けても良い。また、図１２（b）に本発明の第５の実施の形態を示したように本体筐体の内面には、携帯電話装置の持ち主の写真シール51を貼ったり、持ち主の住所氏名を記載した名前シール52を貼りつけるようにしても良い。また、写真シール51の場所にテレビ電話の表示手段を設け、小型テレビカメラ53をヒンジ部に設けた折畳式携帯テレビ電話装置としても良い。
【００３７】
【発明の効果】
以上説明した通り、本発明の請求項１に記載の発明は、携帯ゲームの表示手段と操作手段とを有する折畳式携帯電話装置において、折り畳み可能な本体筐体と、無線通信手段と、制御手段と、表示手段と、操作手段と、送話器と、受話器とを有し、前記本体筐体内に前記無線通信手段と前記制御手段とを内蔵させ、前記本体筐体の外面に前記表示手段と前記操作手段とを設け、前記本体筐体の内面に前記送話器と前記受話器とを設けて構成し、前記携帯ゲームの表示手段を前記本体筐体の外面に設けた折畳式携帯電話装置の前記表示手段と共用し、前記携帯ゲームの操作手段を前記本体筐体の外面に設けた折畳式携帯電話装置の前記操作手段と共用して、折畳式携帯電話装置の前記制御手段で、前記携帯ゲームの動作制御と折畳式携帯電話装置の動作制御をすることを特徴とする折畳式携帯電話装置としたものである。この構成により、本体筐体を閉じた状態で本体筐体の外面に設けた表示手段と操作手段で携帯ゲームの操作と表示をすることができ、本体筐体を開いた状態で本体筐体の内面に設けた送話器と受話器により電話をすることができるという効果がある。
【００３９】
また、請求項２に記載の発明は、携帯ゲームを動作させているときに着信信号を検出すると、携帯ゲームを自動的に一時停止するようにしたことを特徴とする請求項１に記載の折畳式携帯電話装置としたものである。この構成により、着信表示ランプの点滅や着信鳴動あるいはバイブレータの振動にわずらわされて誤操作することなく携帯ゲームを一時停止することができるという効果がある。
【００４０】
また、請求項３に記載の発明は、前記本体筐体の開閉を検出する開閉状態検出手段を有し、携帯ゲームを動作させているときに前記本体筐体が開いたことを検出すると、携帯ゲームを自動的に一時停止するようにしたことを特徴とする請求項１に記載の折畳式携帯電話装置としたものである。この構成により、着信に気付いたユーザーが通話するために本体筐体を開くという自然な動作をするだけで、携帯ゲームを一時停止することができるという効果がある。
【００４１】
また、請求項４に記載の発明は、携帯ゲームの動作中に着信があり着信鳴動状態が継続しているときに、携帯ゲームを継続するための前記操作手段が操作されたときには、無線通信手段により、発呼者に対して自動的に予め定めたメッセージを送出して通話を終了するとともに、携帯ゲームの動作を継続するようにしたことを特徴とする請求項１に記載の折畳式携帯電話装置としたものである。この構成により、発呼者に対して予め定めたメッセージを送出して携帯ゲームの動作を継続することができるという効果がある。
【００４２】
また、請求項５に記載の発明は、前記本体筐体の外面に設けた携帯電話装置の操作手段の内、通話終了ボタンを携帯ゲームのスタートボタンと共用し、受信待受け状態において前記通話終了ボタンが一定時間より短時間押されたときには、携帯ゲームのスタートボタンが押されたとして以後の制御を行なうようにしたことを特徴とする請求項１に記載の折畳式携帯電話装置としたものである。この構成により、携帯電話装置の本来的な機能に影響を与えることなく、携帯ゲームをスタートさせることができる。
【図面の簡単な説明】
【図１】（ａ）本発明の第１の実施の形態の携帯電話装置の本体筐体を閉じた状態の側面図、
（ｂ）本発明の第１の実施の形態の本体筐体を閉じた状態の正面図、
【図２】（ａ）本発明の第１の実施の形態の携帯電話装置の本体筐体を開いた状態の側面図、
（ｂ）本発明の第１の実施の形態の本体筐体を開いた状態の正面図、
【図３】（ａ）本発明の第１の実施の形態の携帯電話装置の本体筐体を閉じ、アンテナを伸ばした状態の側面図、
（ｂ）本発明の第１の実施の形態の本体筐体を閉じ、アンテナを伸ばした状態の正面図、
【図４】（ａ）本発明の第１の実施の形態の携帯電話装置の本体筐体を開き、アンテナを伸ばした状態の側面図、
（ｂ）本発明の第１の実施の形態の本体筐体を開き、アンテナを伸ばした状態の正面図、
【図５】本発明の第１の実施の形態の携帯電話装置を手で持った状態の外観図、
【図６】本発明の第１の実施の形態の携帯電話装置のブロック図、
【図７】本発明の第１の実施の形態の着信時の受信待受け状態から通話開始に至る手順を示したフローチャート、
【図８】本発明の第１の実施の形態の着信時の受信待受け状態から発呼開始に至る手順を示したフローチャート、
【図９】本発明の第１の実施の形態の携帯ゲーム途中に着信があったときのフローチャート、
【図１０】本発明の第２の実施の形態の携帯ゲーム途中に着信があったときのフローチャート、
【図１１】（ａ）本発明の第３の実施の形態の携帯電話装置の閉じた状態の側面図、
（ｂ）本発明の第３の実施の形態の閉じた状態の正面図、
（ｃ）本発明の第３の実施の形態の開いた状態の正面図、
【図１２】（ａ）本発明の第４の実施の形態の携帯電話装置の開いた状態の正面図、
（ｂ）本発明の第５の実施の形態の携帯電話装置の開いた状態の正面図、
【図１３】（ａ）従来の携帯電話装置の折り畳んだ状態の側面図、
（ｂ）従来の携帯電話装置の折り畳んだ状態の正面図、
（ｃ）従来の携帯電話装置を開いた状態の正面図である。
【符号の説明】
１  第１の本体筐体
２  第２の本体筐体
３  ヒンジ部
４  第１の表示手段
５  非音声無線通信サービス開始ボタン
６  クリアボタン
７  スクロールボタン
８  第２の表示手段
９  アンテナ
21  無線通信部
22  制御部
23  受話部
24  送話部
25  メモリ
27  カバー開閉状態検出部
【図１】
0004201443.tif 000002
【図２】
0004201443.tif 000003
【図３】
0004201443.tif 000004
【図４】
0004201443.tif 000005
【図５】
0004201443.tif 000006
【図６】
0004201443.tif 000007
【図７】
0004201443.tif 000008
【図８】
0004201443.tif 000009
【図９】
0004201443.tif 000010
【図１０】
0004201443.tif 000011
【図１１】
0004201443.tif 000012
【図１２】
0004201443.tif 000013
【図１３】
0004201443.tif 000014